(57)【要約】【課題】センタスピーカをＡＶシステムの中央に置く必要がなく、位置的な制約から解放できると共に、特別な配線を行うことなく、手軽にサラウンド再生が行えるようにする。【解決手段】テレビジョン受像機１の左側に、左側ツィータ５Ａ及び左側ウーファー６Ａをテレビジョン受像機１と一体的に設け、右側に、右側ツィータ５Ｂ及び右側ウーファー６Ｂをテレビジョン受像機１と一体的に設ける。テレビジョン受像機１の左右の双方に、互いに角度θだけ内側に向けて、センタツィータ４Ａ及び４Ｂをテレビジョン受像機１と一体的に設ける。左右のセンタツィータ４Ａ及び４Ｂにより、テレビジョン受像機の中央に配置したセンタスピーカと同様の音像が得られる。スピーカを全てテレビジョン受像機１と一体的に設けることで、特別な配線を行うことなく、手軽にサラウンド再生が行える。【選択図】        図１
2004247890.tif 000002
【特許請求の範囲】
【請求項１】
少なくとも、左側チャンネルのオーディオ信号と、右側チャンネルのオーディオ信号と、センタチャンネルのオーディオ信号からなるサラウンドのオーディオ信号をデコードするデコード手段と、
テレビジョン受像機の左側に上記テレビジョン受像機と一体的に設けられた左側ツィータ及び左側ウーファーと、
上記テレビジョン受像機の右側に上記テレビジョン受像機と一体的に設けられた右側ツィータ及び右側ウーファーと、
上記テレビジョン受像機の左側と右側の双方に上記テレビジョン受像機と一体的に設けられ、互いに所定の角度だけ内側に向けて配置された一対のセンタツィータとを有し、
上記左側チャンネルのオーディオ信号の高域成分を上記左側ツィータに供給し、
上記左側チャンネルのオーディオ信号の低域成分と上記センタチャンネルのオーディオ信号の低域成分とをミックスして上記左側ウーファーに供給し、
上記右側チャンネルのオーディオ信号の高域成分を上記右側ツィータに供給し、
上記右側チャンネルのオーディオ信号の低域成分と上記センタチャンネルのオーディオ信号の低域成分とをミックスして上記右側ウーファーに供給し、
上記センタチャンネルのオーディオ信号の高域成分を上記一対のセンタツィータの双方に供給する
ようにしたテレビジョン受像機のスピーカ装置。
【請求項２】
上記一対のセンタツィータは、上記テレビジョン受像機の中央に配置したスピーカと等価な音像が生じるように、互いに所定の角度だけ内側に向けるようにした請求項１に記載のテレビジョン受像機のスピーカ装置。
【請求項３】
上記デコード手段は、更にスーパーウーファーのサウンド信号をデコードし、上記スーパーウーファーを上記テレビジョン受像機と一体的に配置し、上記デコード手段でデコードされた上記スーパーウーファーのサウンド信号を上記スーパーウーファーに供給するようにした請求項１に記載のテレビジョン受像機のスピーカ装置。
【請求項４】
上記デコード手段は、後部の音場を再生する疑似サラウンド信号を生成するものである請求項１に記載のテレビジョン受像機のスピーカ装置。
【請求項５】
上記デコード手段は、更に後部チャンネルのオーディオ信号をデコードし、上記テレビジョン受像機に上記後部チャンネルのスピーカを接続し、上記デコード手段でデコードされた上記後部チャンネルのオーディオ信号を上記後部チャンネルのスピーカに供給するようにした請求項１に記載のテレビジョン受像機のスピーカ装置。
【発明の詳細な説明】
【０００１】
【発明の属する技術分野】
この発明は、サラウンド再生を行うテレビジョン受像機のスピーカ装置に関するもので、特に、特別な配線を施すことなく、手軽にサラウンド再生が楽しめるようにしたものに係わる。
【０００２】
【従来の技術】
近年、プラズマディスプレイや液晶ディスプレイの普及が本格化しており、各家庭に大画面のテレビジョン受像機が置かれるようになってきている。また、ディジタル衛星放送では、映画チャンネル、ドラマチャンネル、音楽チャンネル等の専用のチャンネルが設けられており、各チャンネルで、様々なコンテンツの番組が放送されている。また、ＤＶＤ（Ｄｉｇｉｔａｌ  Ｖｅｒｓａｔｉｌｅ  Ｄｉｓｃ）プレーヤの普及により、映画やドラマ、音楽番組等のコンテンツがＤＶＤ化されて販売されている。
【０００３】
このように、多彩なコンテンツが容易に入手できるようになったことや、大画面のプラズマディスプレイや液晶ディスプレイの登場により、家庭でＡＶ（ＡｕｄｉｏＶｉｓｕａｌ）システムを構築することが盛んに行われるようになってきている。このようなＡＶシステムでは、大画面のディスプレイと共に、迫力のあるオーディオ再生システムが不可欠であり、迫力のあるオーディオ再生のために、サラウンド再生が行われている。
【０００４】
例えば、ディジタルＢＳ（Ｂｒｏａｄｃａｓｔ  Ｓａｔｅｌｌｉｔｅ）放送では、オーディオ方式として、ＭＰＥＧ２−ＡＡＣ（ＭＰＥＧ２  Ａｄｖａｎｃｅｄ  Ａｕｄｉｏ  Ｃｏｄｉｎｇ  ）が採用されている。ＭＰＥＧ２−ＡＡＣでは、左チャンネル、右チャンネル、センタチャンネル、スーパーウーファー、左後ろチャンネル、右後ろチャンネルの５．１チャンネルの再生が可能である。また、ＤＶＤにおいては、ドルビー（登録商標）ＡＣ−３と呼ばれるサラウンドシステムが採用されている。このＤＶＤのサラウンドシステムでは、５．１チャンネルの再生が可能である。
【０００５】
このような５．１チャンネルのサラウンドシステムでは、左右のスピーカと、センタスピーカと、後方の左右のスピーカと、スーパーウーファーとを使って、迫力あるサラウンド再生が可能である。
【０００６】
ＡＶシステムに利用できるスピーカとしては、例えば、特許文献１に示されるようなものが提案されている。特許文献１に示されているスピーカは、テレビジョン受像機に接続して使用されるもので、左右のスピーカユニットに併せてセンタチャンネルのオーディオ信号を再生できるようにしている。
【０００７】
【特許文献１】
特開平６−１０５３９１号公報
【０００８】
【発明が解決しようとする課題】
このように、５．１チャンネルのサラウンドシステムでは、迫力のあるサラウンド再生が実現でき、恰も映画館にいるような迫力のある音声で映画を楽しんだり、コンサートホールにいるような音楽環境で、音楽番組が楽しむことができる。
【０００９】
ところが、５．１チャンネルのサラウンド再生を行うためには、左チャンネル、右チャンネル、センタチャンネル、スーパーウーファー、左後ろチャンネル、右後ろチャンネルの合計６個のスピーカを配置しなければならない。このため、配線が複雑化し、ユーザが手軽に楽しむことは困難である。また、６個のスピーカを外付けすると、配線が床を這い回り、見苦しいことになる。
【００１０】
また、特に、センタチャンネルのスピーカは、位置的な制約により、置き場に苦労する。センタチャンネルのスピーカは、ＡＶシステムの中央に置かなければならず、ＡＶシステムの中央には、通常、ディスプレイが配置されている。したがって、センタチャンネルのスピーカの置き場としては、ディスプレイの上かディスプレイの下ということになる。ディスプレイの上にセンタスピーカを置くと、落下の危険がある。ディスプレイの下には、アンプ等が置かれているため、ディスプレイの下には、センタスピーカを置くスペースが十分に確保できない。限られたスペースでもセンタスピーカが置けるように、センタスピーカとして小型のものを用いると、左右チャンネルのスピーカとの音質差が大きくなり、好ましくはない。
【００１１】
したがって、この発明の目的は、センタスピーカをＡＶシステムの中央に置く必要がなく、センタスピーカの位置的な制約から解放できると共に、特別な配線を行うことなく、手軽にサラウンド再生が行えるようにしたテレビジョン受像機のスピーカ装置を提供することにある。
【００１２】
【課題を解決するための手段】
この発明は、少なくとも、左側チャンネルのオーディオ信号と、右側チャンネルのオーディオ信号と、センタチャンネルのオーディオ信号からなるサラウンドのオーディオ信号をデコードするデコード手段と、
テレビジョン受像機の左側にテレビジョン受像機と一体的に設けられた左側ツィータ及び左側ウーファーと、
テレビジョン受像機の右側にテレビジョン受像機と一体的に設けられた右側ツィータ及び右側ウーファーと、
テレビジョン受像機の左側と右側の双方にテレビジョン受像機と一体的に設けられ、互いに所定の角度だけ内側に向けて配置された一対のセンタツィータとを有し、
左側チャンネルのオーディオ信号の高域成分を左側ツィータに供給し、
左側チャンネルのオーディオ信号の低域成分とセンタチャンネルのオーディオ信号の低域成分とをミックスして左側ウーファーに供給し、
右側チャンネルのオーディオ信号の高域成分を右側ツィータに供給し、
右側チャンネルのオーディオ信号の低域成分とセンタチャンネルのオーディオ信号の低域成分とをミックスして右側ウーファーに供給し、
センタチャンネルのオーディオ信号の高域成分を一対のセンタツィータの双方に供給する
ようにしたテレビジョン受像機のスピーカ装置である。
【００１３】
テレビジョン受像機の左側には、左側ツィータ及び左側ウーファーがテレビジョン受像機と一体的に設けられる。テレビジョン受像機の右側には、右側ツィータ及び右側ウーファーがテレビジョン受像機と一体的に設けられる。また、テレビジョン受像機の左側と右側の双方には、互いに所定の角度だけ内側に向けられた一対のセンタツィータがテレビジョン受像機と一体的に設けられる。
【００１４】
互いに所定の角度だけ内側に向けられた一対のセンタツィータにより、テレビジョン受像機の中央に配置したセンタスピーカと同様の音像が得られる。このため、センタスピーカをテレビジョン受像機の中央に配置する必要がなく、場所的な制約を受けることがなくなる。また、センタツィータと、左右のチャンネルのツィータとを同様の構成のものとすることができる。
【００１５】
【発明の実施の形態】
以下、この発明の実施の形態について図面を参照して説明する。図１は、この発明が適用されたテレビジョン受像機の外観の構成を示すものである。
【００１６】
図１において、テレビジョン受像機１の前面の略々中央には、受像部２が配置される。受像部２としては、ＣＲＴ（Ｃａｔｈｏｄｅ−Ｒａｙ  Ｔｕｂｅ）ディスプレイを用いても良いし、液晶ディスプレイ或いはプラズマディスプレイを用いても良い。又は、受像部２として、プロジェクタを用いるようにしても良い。受像部２には、テレビジョン放送の受信画面、或いはＤＶＤプレーヤやＶＣＲ（Ｖｉｄｅｏ  Ｃａｓｓｅｔｔｅ  Ｒｅｃｏｒｄｅｒ）、ＨＤＤ（Ｈａｒｄ  Ｄｉｓｋ  Ｄｒｉｖｅ）ビデオレコーダ等の再生画面が映し出される。
【００１７】
テレビジョン受像機１の前面の左右には、スピーカ部３Ａ及びスピーカ部３Ｂが設けられる。スピーカ部３Ａはテレビジョン受像機１と一体的に設けられており、スピーカ部３Ａには、センタツィータ４Ａ、左チャンネルツィータ５Ａ、左チャンネルウーファー６Ａが設けられる。
【００１８】
スピーカ部３Ｂはテレビジョン受像機１と一体的に設けられており、スピーカ部３Ｂには、センタツィータ４Ｂ、右チャンネルツィータ５Ｂ、右チャンネルウーファー６Ｂが設けられる。
【００１９】
テレビジョン受像機１の前面の略々中央の下部には、テレビジョン受像機１と一体的に、スーパーウーファー７が設けられる。
【００２０】
センタツィータ４Ａ及びセンタツィータ４Ｂは、センタチャンネルの高域再生用のスピーカである。左側のスピーカ部３Ａに設けられるセンタツィータ４Ａと、右側のスピーカ部３Ｂに設けられるセンタツィータ４Ｂは、互いに所定の角度θ（例えば３０度）だけ内側に向けられている。このセンタツィータ４Ａ及びセンタツィータ４Ｂには、センタチャンネルのオーディオ信号の高域成分が供給される。
【００２１】
このように、左側のセンタツィータ４Ａと、右側のセンタツィータ４Ｂとを、互いに所定の角度θだけ内側に向けておくことにより、テレビジョン受像機１の中央に音像が生じる。これにより、センタツィータ４Ａ及び４Ｂは、センタに置かれてスピーカと略々同様の働きとなる。このことについては、後に説明する。なお、ツィータ（センタツィータ４Ａ及びセンタツィータ４Ｂ）をセンタチャンネルのスピーカとしているのは、音像の定位を決める大きな要因は、ツィータにあるからである。
【００２２】
左チャンネルツィータ５Ａ及び右チャンネルツィータ５Ｂは左右チャンネルの高域再生用のスピーカである。左チャンネルツィータ５Ａ及び右チャンネルツィータ５Ｂは正面に向けられている。左チャンネルツィータ５Ａには、左チャンネルのオーディオ信号の高域成分が供給される。右チャンネルツィータ５Ｂには、右チャンネルのオーディオ信号の高域成分が供給される。
【００２３】
左チャンネルウーファー６Ａ及び右チャンネルウーファー６Ｂは左右チャンネルの低域再生用のスピーカである。左チャンネルウーファー６Ａ及び右チャンネルウーファー６Ｂは正面に向けられている。左チャンネルウーファー６Ａには、左チャンネルのオーディオ信号の低域成分と、センタチャンネルのオーディオ信号の低域成分とがミックスされて供給される。右チャンネルウーファー６Ｂには、右チャンネルのオーディオ信号の低域成分と、センタチャンネルのオーディオ信号の低域成分とがミックスされて供給される。
【００２４】
スーパーウーファー７は、低域サウンド信号再生用のスピーカである。スーパーウーファー７には、スーパーウーファーのサウンド信号が供給される。なお、ここでは、スーパーウーファー７をテレビジョン受像機１の前面略々中央の下部に配設しているが、スーパーウーファー７の取り付け位置は、これに限定されるものではない。
【００２５】
このように、この発明が適用されたテレビジョン受像機１では、その前面の左右に、スピーカ部３Ａ及びスピーカ部３Ｂが設けられ、スピーカ部３Ａには、センタツィータ４Ａ、左チャンネルツィータ５Ａ、左チャンネルウーファー６Ａがテレビジョン受像機１と一体的に設けられ、スピーカ部３Ｂには、センタツィータ４Ｂ、右チャンネルツィータ５Ｂ、右チャンネルウーファー６Ｂがテレビジョン受像機１と一体的に設けられている。また、テレビジョン受像機１には、スーパーウーファー７が一体的に設けられている。ここで、リアーのスピーカについては、疑似サラウンドを利用するようにすれば、テレビジョン受像機１に何ら外部スピーカを接続することなく、サラウンド再生が行える。勿論、リアーのスピーカのみ、外部スピーカを接続する構成とするようにしても良い。
【００２６】
そして、この発明が適用されたテレビジョン受像機１では、互いに内側に向けられた左右の一対のセンタツィータ４Ａ及びセンタツィータ４Ｂにより、センタスピーカが実現される。このため、テレビジョン受像機１の中心にセンタスピーカを配設する必要がなくなる。
【００２７】
図２は、互いに内側に向けられた左側のスピーカと右側のスピーカにより、センタスピーカが実現できることを示すものである。
【００２８】
図２において、左側のスピーカＳＰ１と、右側のスピーカＳＰ２とは、角度θだけ互いに内側に向けられている。左側のスピーカＳＰ１から出力される音は、図２において曲線Ａ１で示すように広がっていく。また、右側のスピーカＳＰ２から出力される音は、図２において曲線Ａ２で示すように広がっていく。スピーカＳＰ１とスピーカＳＰ２とに同様のオーディオ信号を供給したとすると、スピーカＳＰ１から出力される音と、スピーカＳＰ２から出力される音とが重なる部分では音圧が大きくなり、この部分に音像ＡＲ１が生じる。
【００２９】
一方、中央にスピーカＳＰ３を設けたとすると、この中央のスピーカＳＰ３からの音は、曲線Ａ３で示すように広がっていく。この中央のスピーカＳＰ３からの音の広がりＡ３は、スピーカＳＰ１から出力される音と、スピーカＳＰ２から出力される音とが重なる部分の音像ＡＲ１と一致する。
【００３０】
したがって、互いに内側に角度θだけ向けられた左側のスピーカＳＰ１と右側のスピーカＳＰ２とを配設すると、中央のスピーカＳＰ３と同様の音像が得られることになる。なお、左側のスピーカＳＰ１と右側のスピーカＳＰ２とを互いに内側に向けるときの角度θの最適値は、左右のスピーカの間隔や、再生音量、リスナーの位置等、様々な要因で変化するが、３０度程度が最適であることが確かめられている。
【００３１】
この発明が適用されたテレビジョン受像機１では、上述のように、互いに内側に向けられた左側のスピーカ部３Ａのセンタツィータ４Ａと、右側のスピーカ部３Ｂのセンタツィータ４Ｂとが設けられており、センタツィータ４Ａ及びセンタツィータ４Ｂが、テレビジョン受像機１の中央に配置されたセンタスピーカと同様の機能を果たす。５．１チャンネルの再生を実現する場合、場所的な制約から、センタスピーカの位置が最も配置しずらい。この発明が適用されたテレビジョン受像機１では、左右のスピーカ部３Ａ及び３Ｂに、センタチャンネルの再生のためのセンタツィータ４Ａ及び４Ｂを配置できるので、場所的な制約を受けることがなくなる。また、センタツィータ４Ａ及び４Ｂと、左右のチャンネルのツィータ５Ａ及び５Ｂとを同様の構成のものとすることができる。
【００３２】
図３は、この発明が適用できるテレビジョン受像機１の構成の一例を示すものである。この例は、ディジタルＢＳ放送の受信を行うものである。
【００３３】
図３において、例えば１２ＧＨｚ帯の電波で衛星を介して送られてくるディジタル衛星放送の電波は、パラボラアンテナ１１で受信され、パラボラアンテナ１１に取り付けられたＬＮＢ（Ｌｏｗ  Ｎｏｉｓｅ  Ｂｌｏｃｋ  Ｄｏｗｎ  Ｃｏｎｖｅｒｔｅｒ）１２で、例えば、１ＧＨｚ帯の第一中間周波信号に変換される。このＬＮＢ１２の出力がケーブル１３を介してチューナ回路１４に供給される。
【００３４】
チューナ回路１４には、マイクロプロセッサ３５から選局信号が供給される。チューナ回路１４により、マイクロプロセッサ３５からの選局信号に基づいて、受信信号の中から、所望の搬送波周波数の信号が選択され、選択された受信信号の搬送波周波数の信号が第二中間周波信号に変換される。
【００３５】
チューナ回路１４からの中間周波信号がＩＦ（Ｉｎｔｅｒｍｅｄｉａｔｅ  Ｆｒｅｑｕｅｎｃｙ）回路１５に供給される。ＩＦ回路１５により、チューナ回路１４からの中間周波信号が増幅される。ＩＦ回路１５の出力が復調回路１６に供給される。
【００３６】
復調回路１６では、ＢＰＳＫ（Ｂｉｎａｒｙ  Ｐｈａｓｅ  Ｓｈｉｆｔ  Ｋｅｙｉｎｇ  ）と、ＱＰＳＫ（Ｑｕａｄｒａｔｕｒｅ  Ｐｈａｓｅ  Ｓｈｉｆｔ  Ｋｅｙｉｎｇ  ）と、８ＰＳＫ（８相ＰＳＫ）の復調処理が行える。
【００３７】
すなわち、ディジタルＢＳ放送では、ＢＰＳＫと、ＱＰＳＫと、８ＰＳＫとにより、階層化伝送が行われている。８ＰＳＫ変調では、１シンボル当たりの情報量は増えるが、降雨による減衰があると、エラーレートが悪化する。これに対して、ＢＰＳＫやＱＰＳＫでは、１シンボル当たりの情報量は少なくなるが、降雨による減衰があっても、エラーレートはさほど低下しない。
【００３８】
送信側では、複数のＴＳパケットを１スロットに対応させて、各ＴＳパケットが４８スロットで構成されるフレームにマッピングされる。各スロット毎に、変調方式や符号化方式を割り当てることができる。各スロットに割り当てられた変調方式の種別や符号化率は、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号により送られる。そして、８フレームを単位としてスーパーフレームが構成され、スロットの位置毎にインターリーブが行われる。
【００３９】
復調回路１６で、トランスポートストリームが復調される。この復調回路１６の出力は、ビタビ復号回路１７に供給される。ビタビ復号回路１７で、内符号のエラー訂正処理が行われる。ビタビ復号回路１７の出力がエラー訂正回路１８に供給される。エラー訂正回路１８で、外符号のエラー訂正処理が行われる。
【００４０】
すなわち、ディジタルＢＳ放送では、エラー訂正符号化方式としては、外符号にリード・ソロモン符号（２０４，１８８）、内符号に、トレリス符号、畳み込み符号が用いられる。ビタビ復号回路１７により、内符号のエラー訂正処理が行われる。リード・ソロモン符号によるエラー訂正回路１８により、外符号のエラー訂正処理が行われる。
【００４１】
エラー訂正回路１８の出力がデスクランブラ１９に供給される。デスクランブラ１９で、ＣＡＳ（Ｃｏｎｄｉｔｉｏｎ  Ａｃｃｅｓｓ  Ｓｙｓｔｅｍ  ）制御が行われる。
【００４２】
つまり、限定受信の場合には、トランスポートストリームに暗号化が施されている。個人情報はＩＣカード２０に格納されており、ＩＣカード２０は、カードインターフェース２１を介して装着される。
【００４３】
デスクランブラ１９には、受信されたＥＣＭ（Ｅｎｃｒｙｐｔｉｏｎ  Ｃｏｎｔｒｏｌ  Ｍｅｓｓａｇｅ）及びＥＭＭ（Ｅｎｔｉｔｌｅｍｅｎｔ  Ｍａｎａｇｅｍｅｎｔ  Ｍｅｓｓａｇｅ）のセクションの情報と、ＩＣカード２０に記憶されているデスクランブル用のデータから、スクランブルを解除するための情報が供給される。限定受信の場合には、デスクランブラ１９は、受信されたＥＣＭやＥＭＭと、ＩＣカード２０の情報を用いて、デスクランブルが行われる。
【００４４】
また、モデム２２が設けられ、課金情報がモデム２２を介して、電話回線により、番組の放送センタに送られる。
【００４５】
デスクランブラ１９でデスクランブルされたトランスポートストリームは、デマルチプレクサ２３に送られる。
【００４６】
デマルチプレクサ２３は、受信されたトランスポートストリームの中から、所望のパケットのストリームを分離するものである。パケットのヘッダ部にはパケット識別子（ＰＩＤ）が記述されている。デマルチプレクサ２３で、このＰＩＤに基づいて、所望のプログラムのビデオＰＥＳ（Ｐａｃｋｅｔｉｚｅｄ  Ｅｌｅｍｅｎｔａｒｙ  Ｓｔｒｅａｍ）パケット、オーディオＰＥＳパケット、データパケット、ＰＳＩ（Ｐｒｏｇｒａｍ  Ｓｐｅｃｉｆｉｃ  Ｉｎｆｏｒｍａｔｉｏｎ）及びＳＩ（Ｓｅｒｖｉｃｅ  Ｉｎｆｏｒｍａｔｉｏｎ）のパケットに、各パケットが分離される。
【００４７】
所望のプログラムのビデオＰＥＳパケットは、ビデオ処理回路２４に送られ、オーディオＰＥＳパケットは、オーディオ処理回路２５に送られる。また、デマルチプレクサ２３からのストリームは、バス３７を介して、マイクロプロセッサ３５に送られる。
【００４８】
ビデオ処理回路２４は、デマルチプレクサ２３からのビデオＰＥＳパケットを受け取り、ＭＰＥＧ２方式のデコード処理を行って、ビデオ信号を再生するものである。ビデオデコーダ２４の出力は、ビデオ再生部３８に供給される。ビデオ再生部３８の出力に基づいて、受像部２に映像が映し出される。
【００４９】
オーディオ処理回路２５は、デマルチプレクサ２３からのオーディオＰＥＳパケットを受け取り、ＭＰＥＧ２−ＡＡＣ（ＭＰＥＧ２  Ａｄｖａｎｃｅｄ  Ａｕｄｉｏ  Ｃｏｄｉｎｇ  ）のデコード処理を行って、オーディオ信号を形成するものである。ＭＰＥＧ２−ＡＡＣでは、左チャンネル、右チャンネル、センタチャンネル、スーパーウーファー、左後ろチャンネル、右後ろチャンネルの５．１チャンネルの再生が可能である。オーディオ処理回路２５の出力は、オーディオ出力部３９に供給される。
【００５０】
操作入力は、入力キー２８により与えられる。入力キー２８は、例えば、受信装置のパネルに配置される各種のキーやスイッチである。また、操作入力は、赤外線リモートコントローラ３０により行うことができ、赤外線リモートコントローラ３０からの赤外線コマンド信号を受光する受光部３１が設けられ、受光部３１からの信号がマイクロプロセッサ３５に送られる。
【００５１】
各種の設定状態が表示部２９に表示される。表示部２９は、例えば、パネルに配設される液晶ディスプレイや、ＬＥＤ（Ｌｉｇｈｔ  Ｅｍｉｔｔｉｎｇ  Ｄｉｏｄｅ）素子である。更に、マイクロプロセッサ３５からの表示信号はＯＳＤ（Ｏｎ  Ｓｃｒｅｅｎ  Ｄｉｓｐｌａｙ）回路３２に供給され、ＯＳＤ回路３２の出力が加算器３３により、ビデオ信号に合成される。これにより、各種の設定状態を受像画面中に重畳表示させることができる。
【００５２】
この発明は、このようなテレビジョン受像機１におけるオーディオ出力部３９に適用できる。図４は、この発明が適用されたテレビジョン受像機１のオーディオ出力部の構成を示すものである。図４において、デコーダ５０は、疑似サラウンド内蔵型の５．１チャンネルのオーディオ信号のデコーダである。
【００５３】
疑似サラウンドは、恰も、リスナーの後ろ側や横側にスピーカから音が聞こえてくるようにするためのもので、疑似サラウンドとしては、数々の方式のものが提案されている。疑似サラウンドとしては、例えば、ＨＲＴＦ（Ｈｅａｄ  Ｒｅｌａｔｅｄ  Ｔｒａｎｓｆｅｒ  Ｆｕｎｃｔｉｏｎ）を用いたものが利用可能である。
【００５４】
ＨＲＴＦは、音の聞こえる角度に対してその音の周波数特性がどのように変化しているかのデータを採取し、それを関数として表したものである。
【００５５】
すなわち、例えば、低域から高域まで特性が平坦な音源を用意し、その音源の特性をリスナーの正面（０度）、真横（９０度）、真後ろ（１８０度）の位置に夫々配置したときの耳翼の内側の耳道入り口での周波数特性を測定するとする。
【００５６】
特性が平坦な音源をリスナーの正面に配置すると、正面より発せられる音は、まず鼻にあたり左右に分かれて頬骨を沿って進み、耳翼に反射されて耳道に導かれる。リスナーの真横（９０度）の位置に音源を移動させると、そこより発せられる音は鼻や頬骨から余り影響を受けないで、耳翼の影響を最も受けて耳道に導かれる。リスナーの後ろ（１８０度）に音源を移動させると、そこから発せられる音はまず後頭部にあたり、左右に分かれて逆方向についている耳翼を越えるようにして耳道に導かれる。
【００５７】
したがって、人間の頭部の構造により、同じ音でも、聞こえてくる方向により、耳翼の内側の耳道入り口では、その周波数特性が大きく変化していること分かる。このようにして音の聞こえる角度に対してその音の周波数特性がどのように変化しているかのデータを採取すると、それらは関数として表すことができるようになる。この関数がＨＲＴＦである。
【００５８】
このように、角度に対する周波数特性の変化を関数として捉えることができると、それを利用して、目的とする角度の位置に仮想音源を作り出すことができる。
【００５９】
疑似サラウンド内蔵型デコーダ５０は、５．１チャンネルのオーディオ信号から、左チャンネルのオーディオ信号Ｌと、右チャンネルのオーディオ信号Ｒと、センタチャンネルのオーディオ信号Ｃと、スーパーウーファーのオーディオ信号ＳＷからなる疑似サラウンドのオーディオ信号を生成する。
【００６０】
疑似サラウンド内蔵型デコーダ５０の左チャンネルのオーディオ信号Ｌは、ハイパスフィルタ５１Ａに供給されると共に、ローパスフィルタ５２Ａに供給される。ハイパスフィルタ５１Ａにより、左チャンネルのオーディオ信号中の高域成分が取り出される。ローパスフィルタ５２Ａにより、左チャンネルのオーディオ信号中の低域成分が取り出される。
【００６１】
疑似サラウンド内蔵型デコーダ５０の右チャンネルのオーディオ信号Ｒは、ハイパスフィルタ５１Ｂに供給されると共に、ローパスフィルタ５２Ｂに供給される。ハイパスフィルタ５１Ｂにより、右チャンネルのオーディオ信号中の高域成分が取り出される。ローパスフィルタ５２Ｂにより、右チャンネルのオーディオ信号Ｒ中の低域成分が取り出される。
【００６２】
疑似サラウンド内蔵型デコーダ５０のセンタチャンネルのオーディオ信号Ｃは、ハイパスフィルタ５３Ａ及びハイパスフィルタ５３Ｂに供給されると共に、ローパスフィルタ５４Ａ及びローパスフィルタ５４Ｂに供給される。ハイパスフィルタ５３Ａ及びハイパスフィルタ５３Ｂで、センタチャンネルのオーディオ信号Ｃの高域成分が取り出される。ローパスフィルタ５４Ａ及びローパスフィルタ５４Ｂで、センタチャンネルのオーディオ信号の低域成分が取り出される。
【００６３】
疑似サラウンド内蔵型デコーダ５０のスーパーウーファーのサウンド信号ＳＷは、アンプ６１を介して増幅され、スーパーウーファー７に供給される。
【００６４】
ハイパスフィルタ５３Ａからのセンタチャンネルのオーディオ信号の高域成分は、アンプ５６Ａを介して増幅され、センタツィータ４Ａに供給される。ハイパスフィルタ５１Ａからの左チャンネルのオーディオ信号の高域成分は、アンプ５７Ａを介して増幅され、左チャンネルツィータ５Ａに供給される。ローパスフィルタ５２Ａからの左チャンネルのオーディオ信号の低域成分と、ローパスフィルタ５４Ａからのセンタチャンネルのオーディオの低域成分とは、ミキシング回路５５Ａで合成され、アンプ５８Ａで増幅され、ウーファー６Ａに供給される。
【００６５】
ハイパスフィルタ５３Ｂからのセンタチャンネルのオーディオ信号の高域成分は、アンプ５６Ｂを介して増幅され、センタツィータ４Ｂに供給される。ハイパスフィルタ５１Ｂからの右チャンネルのオーディオ信号の高域成分は、アンプ５７Ｂを介して増幅され、右チャンネルツィータ５Ｂに供給される。ローパスフィルタ５２Ｂからの右チャンネルのオーディオ信号の低域成分と、ローパスフィルタ５４Ｂからのセンタチャンネルのオーディオの低域成分とは、ミキシング回路５５Ｂで合成され、アンプ５８Ｂで増幅され、ウーファー６Ｂに供給される。
【００６６】
互いに角度θだけ内側に向けられたセンタツィータ４Ａ及び４Ｂには、センタチャンネルのオーディオ信号の高域成分が供給される。左右チャンネルツィータ５Ａ及び５Ｂには、左右の各チャンネルのオーディオ信号の高域成分が供給される。左右チャンネルウーファー６Ａ、６Ｂには、左右の各チャンネルのオーディオ信号の高域成分と、センタチャンネルのオーディオ信号の高域成分とがミックスされた信号が供給される。スーパーウーファー７には、スーパーウーファーのサウンド信号が供給される。これにより、ユーザは、何ら、配線を施すことなく、手軽に、サラウンド再生を楽しむことができる。
【００６７】
なお、上述の例では、疑似サラウンド内蔵型デコーダ５０を使っており、外部のスピーカを一切外付することなく、サラウンド再生が楽しめるようにしているが、図５に示すように、リアースピーカ７２Ａ及び７２Ｂのみ、外付けするようにしても良い。
【００６８】
図５において、デコーダ７０からは、左チャンネルのオーディオ信号Ｌと、右チャンネルのオーディオ信号Ｒと、センタチャンネルのオーディオ信号Ｃと、スーパーウーファーのサウンド信号ＳＷと、左後ろチャンネルのオーディオ信号ＲＬと、右後ろ側のオーディオ信号ＲＲとの、５．１チャンネルのオーディオ信号が出力される。
【００６９】
左後ろチャンネルのオーディオ信号ＲＬは出力端子７１Ａに供給され、右後ろ側のオーディオ信号は出力端子７１Ｂに供給される。出力端子７１Ａ及び出力端子７１Ｂには、左側のリアースピーカ７２Ａ及び右側のリアースピーカ７２Ｂが外付けされる。左後ろチャンネルのオーディオ信号は左側のリアースピーカ７２Ａに供給され、右後ろチャンネルのオーディオ信号は、右後ろ側のリアースピーカ７２Ｂに供給される。
【００７０】
また、図４の構成では、左側のセンタツィータ４Ａにセンタチャンネルの高域成分のオーディオ信号を供給するハイパスフィルタ５３Ａと、右側のセンタツィータ４Ｂにセンタチャンネルの高域成分のオーディオ信号を供給するハイパスフィルタ５３Ｂとを別々に設けている。また、左チャンネルのウーファー６Ａにセンタチャンネルの低域成分のオーディオ信号を供給するローパスフィルタ５４Ａと、右チャンネルのウーファー６Ｂにセンタチャンネルの低域成分のオーディオ信号を供給するローパスフィルタ５４Ｂとを別々に設けているが、これらは、１つのフィルタで実現できる。すなわち、図６に示すように、ローパスフィルタ５３Ａ及び５３Ｂは、１つのハイパスフィルタ５３で実現することができ、また、ローパスフィルタ５４Ａ及び５４Ｂは、１つのローパスフィルタ５４で実現することができる。
【００７１】
また、上述の例では、左右のウーファーに、左右チャンネルのオーディオ信号の低域成分と、センタチャンネルのオーディオ信号の低域成分とをミックスして、供給するようにしているが、電気的に分離した第１のボイスコイルと、第２のボイスコイルとがボイスコイルボビンに巻回されたウーファーを使い、第１のボイスコイルにセンタチャンネルのオーディオ信号を供給し、第２のボイスコイルに左又は右チャンネルのオーディオ信号を供給するようにしても良い。
【００７２】
この発明は、上述した実施形態に限定されるものではなく、この発明の要旨を逸脱しない範囲内で様々な変形や応用が可能である。
【００７３】
【発明の効果】
この発明によれば、テレビジョン受像機の左側には、左側ツィータ及び左側ウーファーがテレビジョン受像機と一体的に設けられる。テレビジョン受像機の右側には、右側ツィータ及び右側ウーファーがテレビジョン受像機と一体的に設けられる。テレビジョン受像機の左側と右側の双方には、互いに所定の角度だけ内側に向けられた一対のセンタツィータがテレビジョン受像機と一体的に設けられる。
【００７４】
互いに所定の角度だけ内側に向けられた一対のセンタツィータにより、テレビジョン受像機の中央に配置したセンタスピーカと同様の音像が得られる。このため、センタスピーカをテレビジョン受像機の中央に配置する必要がなくなり、場所的な制約を受けることがなくなる。また、センタツィータと、左右のチャンネルのツィータとを同様の構成のものとすることができる。
【００７５】
これにより、テレビジョン受像機に、サラウンド再生を行うためのスピーカを全て一体的に配置することができ、ユーザは、何ら特別な配線をすることなく、手軽にサラウンド再生を楽しむことができる。
【図面の簡単な説明】
【図１】この発明が適用されたテレビジョン受像機の外観構成を示す斜視図である。
【図２】センタスピーカの働きの説明に用いる略線図である。
【図３】この発明が適用できるテレビジョン受像機の構成を示すブロック図である。
【図４】この発明が適用されたオーディオ出力回路の一例のブロック図である。
【図５】この発明が適用されたオーディオ出力回路の他の例のブロック図である。
【図６】この発明が適用されたオーディオ出力回路の更に他の例のブロック図である。
【符号の説明】
１・・・テレビジョン受像機、２・・・受像部、  ３Ａ，３Ｂ・・・スピーカ部、４Ａ，４Ｂ・・・センタツィータ、  ５Ａ，５Ｂ・・・左右チャンネルツィータ、６Ａ、６Ｂ・・・左右チャンネルウーファー、７・・・スーパーウーファー、５０・・・デコーダ
【図１】
2004247890.tif 000003
【図２】
2004247890.tif 000004
【図３】
2004247890.tif 000005
【図４】
2004247890.tif 000006
【図５】
2004247890.tif 000007
【図６】
2004247890.tif 000008